(57)【要約】【課題】  小型でありながら導光体の反りを抑制することができる導光ユニット、照明装置、及び画像読取装置を提供すること。【解決手段】  入射面１１２、第１の方向に長い出射面１１３、及び出射面１１３と対向する導光面１１５を有する導光体１１１と、導光体１１１を保持する保持部材１１８と、を備え、入射面１１２から入射した光を、導光面１１５を介して出射面１１３に導く導光ユニット１０９であって、導光面１１５は、出射面１１３とは反対側において第１の方向に配列された複数のプリズムを含み、複数のプリズムは、固定部材１１６を介して保持部材１１８に固定されている。【選択図】  図３
2018088612.tif 000002
【特許請求の範囲】
【請求項１】
入射面、第１の方向に長い出射面、及び該出射面と対向する導光面を有する導光体と、該導光体を保持する保持部材と、を備え、前記入射面から入射した光を、前記導光面を介して前記出射面に導く導光ユニットであって、
前記導光面は、前記出射面とは反対側において前記第１の方向に配列された複数のプリズムを含み、
該複数のプリズムは、固定部材を介して前記保持部材に固定されていることを特徴とする導光ユニット。
【請求項２】
前記保持部材は、前記導光面に垂直な方向において、前記導光面に対して前記出射面とは反対側にのみ存在することを特徴とする請求項１記載の導光ユニット。
【請求項３】
前記導光体は、前記入射面と前記出射面と前記導光面とを接続する２つの反射側面を有し、該２つの反射側面は、空気に曝されていることを特徴とする請求項１又は２に記載の導光ユニット。
【請求項４】
前記保持部材における前記固定部材に接していない表面の反射率は、２０％以下であることを特徴とする請求項１乃至３の何れか１項に記載の導光ユニット。
【請求項５】
前記保持部材における前記固定部材に接していない表面は、黒色材料で構成されていることを特徴とする請求項１乃至４の何れか１項に記載の導光ユニット。
【請求項６】
前記複数のプリズムの高さは、前記第１の方向において一定であることを特徴とする請求項１乃至５の何れか１項に記載の導光ユニット。
【請求項７】
前記第１の方向を含み前記導光面に垂直な断面内において、前記複数のプリズムの夫々の形状は矩形であることを特徴とする請求項１乃至６の何れか１項に記載の導光ユニット。
【請求項８】
前記第１の方向を含み前記導光面に垂直な断面内において、前記複数のプリズムの夫々の形状は台形であることを特徴とする請求項１乃至６の何れか１項に記載の導光ユニット。
【請求項９】
前記固定部材は、前記導光体に面する反射面を含むことを特徴とする請求項１乃至８の何れか１項に記載の導光ユニット。
【請求項１０】
前記固定部材の反射面の反射率は、７０％以上であることを特徴とする請求項９に記載の導光ユニット。
【請求項１１】
前記固定部材の前記導光体に面する表面は、白色材料で構成されることを特徴とする請求項１乃至１０の何れか１項に記載の導光ユニット。
【請求項１２】
前記固定部材は、透光性の材料で構成されることを特徴とする請求項１乃至８の何れか１項に記載の導光ユニット。
【請求項１３】
前記保持部材は、前記導光体に面する反射面を含むことを特徴とする請求項１乃至１２の何れか１項に記載の導光ユニット。
【請求項１４】
前記保持部材の反射面の反射率は、７０％以上であることを特徴とする請求項１３に記載の導光ユニット。
【請求項１５】
前記保持部材の前記導光体に面する表面は、白色材料で構成されることを特徴とする請求項１乃至１４の何れか１項に記載の導光ユニット。
【請求項１６】
請求項１乃至１５の何れか１項に記載の導光ユニットと光源とを備え、該光源から出射する光を前記導光ユニットにより被照射面に導光することを特徴とする照明装置。
【請求項１７】
請求項１６に記載の照明装置と、前記被照射面からの光を受光する受光部と、前記被照射面からの光を前記受光部の受光面に集光する結像部と、を備えることを特徴とする画像読取装置。
【請求項１８】
前記照明装置と前記受光部と前記結像部とを保持する筐体を備え、該筐体の一部と前記保持部材とは一体的に形成されていることを特徴とする請求項１７に記載の画像読取装置。
【発明の詳細な説明】
【技術分野】
【０００１】
本発明は、導光ユニットに関し、例えば、イメージスキャナー、複写機、ファクシミリなどの画像読取装置が備える照明装置に好適なものである。
【背景技術】
【０００２】
画像読取装置に用いられる照明装置として、ＬＥＤ（Ｌｉｇｈｔ  Ｅｍｉｔｔｉｎｇ  Ｄｉｏｄｅ）などの光源が長尺な導光体の長手方向における端部に配置されたものが知られている。特許文献１には、このような端部配置型の照明装置として、導光体ホルダにより導光体の反りを矯正することで、照明効率の低下を抑制することができるものが記載されている。
【先行技術文献】
【特許文献】
【０００３】
【特許文献１】特開２０１３−５３２０号公報
【発明の概要】
【発明が解決しようとする課題】
【０００４】
しかしながら、特許文献１に記載の照明装置は、導光体ホルダによって導光体の大部分を覆い、それを導光体保持部材により保持する構成を採っているため、部品点数が多く小型化が十分ではない。
【０００５】
本発明の目的は、小型でありながら導光体の反りを抑制することができる導光ユニット、照明装置、及び画像読取装置を提供することである。
【課題を解決するための手段】
【０００６】
上記目的を達成するための、本発明の一側面としての導光ユニットは、入射面、第１の方向に長い出射面、及び該出射面と対向する導光面を有する導光体と、該導光体を保持する保持部材と、を備え、前記入射面から入射した光を、前記導光面を介して前記出射面に導く導光ユニットであって、前記導光面は、前記出射面とは反対側において前記第１の方向に配列された複数のプリズムを含み、該複数のプリズムは、固定部材を介して前記保持部材に固定されていることを特徴とする。
【発明の効果】
【０００７】
本発明によれば、小型でありながら導光体の反りを抑制することができる導光ユニット、照明装置、及び画像読取装置を提供することができる。
【図面の簡単な説明】
【０００８】
【図１】本発明の実施形態１に係る画像読取装置の要部概略図
【図２】実施形態１に係る照明装置の周辺の要部拡大図
【図３】実施形態１に係る照明装置の要部概略図
【図４】本発明の実施形態２に係る照明装置の周辺の要部拡大図
【図５】実施形態２に係る照明装置の要部概略図
【図６】本発明の実施形態３に係る照明装置の周辺の要部拡大図
【図７】実施形態３に係る照明装置の要部概略図
【発明を実施するための形態】
【０００９】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１０】
［実施形態１］
以下、本発明の実施形態１に係る導光ユニット、照明装置、及び画像読取装置について詳細に説明する。
【００１１】
（画像読取装置）
図１は、本実施形態に係る画像読取装置１００の要部概略図（ＺＸ断面図）である。画像読取装置１００は、照明装置１０３、反射光学系１０４、結像光学系１０６（結像部）、受光部１０５、及びこれらを一体的に保持する筐体で構成されるキャリッジ（読取ユニット）１０７と、原稿台１０２と、駆動部１０８と、を備えている。本実施形態に係る照明装置１０３は、導光体の長手方向（Ｙ方向）における端部に光源が配置されて構成される導光ユニットを有する、端部配置型の照明装置である。
【００１２】
原稿台１０２は、原稿１０１を載置するための台であり、アクリル樹脂、ポリエステル樹脂、ポリカーボネイト樹脂やガラスなどの透光性を有する材料から成る。受光部１０５は、原稿１０１からの光を受光するイメージセンサから成る。イメージセンサとしては、ＣＣＤイメージセンサやＣＭＯＳイメージセンサ等を採用することができる。それらは、複数の画素がＹ方向に一列に並んだラインセンサだけでなく、ＲＧＢの３つの画素を単位としたものがＹ方向に一列に並んだラインセンサや、ＲＧＢの各画素に対応する３つのラインセンサが互いに平行に並んだセンサであってもよい。
【００１３】
反射光学系１０４は、原稿１０１からの光を折り返して結像光学系１０６に導く複数の折返しミラー１０４ａ〜１０４ｄから成る。結像光学系１０６は、反射光学系１０４からの光を受光部１０５の受光面上に集光し、原稿１０１の画像情報に基づく像を形成する縮小光学系である。駆動部１０８は、キャリッジ１０７を原稿１０１の原稿面（被照射面）に平行な方向（図中の矢印方向）に移動させるための駆動力を発生するモータなどで構成される。
【００１４】
照明装置１０３から出射した光は、原稿１０１の原稿面にて拡散反射され、反射光学系１０４の第１折返しミラー１０４ａ〜第４折返しミラー１０４ｄにより結像光学系１０６に導かれ、受光部１０５の受光面上に集光される。そして、駆動部１０８によりキャリッジ１０７を図１中のＡ方向に移動させることによって、キャリッジ１０７に原稿１０１の原稿面をＡ方向において順次読み取らせることができる。これにより、受光部１０５は原稿１０１の原稿面全体の画像情報を線順次方式で読み取ることができる。受光部１０５により読み取られた画像情報は、電気信号としてインターフェースを通じて不図示の画像処理部やパーソナルコンピュータなどの外部機器に送信される。
【００１５】
なお、キャリッジ１０７を移動させる際は、キャリッジ１０７により保持される各部材同士の相対位置は変わらない。また、駆動部１０８によって、キャリッジ１０７の代わりに原稿１０１を移動させたり、キャリッジ１０７及び原稿１０１の両方を移動させたりすることにより、キャリッジ１０７と原稿１０１とのＡ方向における相対位置を変更させてもよい。キャリッジ１０７を移動させずに、原稿のみを移動させて相対位置を変更する場合には、給送ローラーや給送ベルト等を用いることができる。
【００１６】
（照明装置）
ここで、本実施形態に係る照明装置１０３について、図２及び図３を用いて詳細に説明する。図２は図１における照明装置１０３の周辺の拡大図であり、図３（ａ）は照明装置１０３の要部概略図（ＹＺ断面図）であり、図３（ｂ）は図３（ａ）におけるＡ部の拡大図である。なお、図２では、２つの照明装置１０３同士で重複する参照番号を省略している。
【００１７】
図２に示すように、本実施形態に係る画像読取装置１００は同一の照明装置１０３を２つ備えており、夫々の照明装置１０３は読取光軸１１７を挟んで対称的に配置されている。照明装置１０３の夫々は、導光体１１１及び保持部材１１８を有する導光ユニット１０９と光源１１０とを備え、光源１１０から出射する光を導光ユニット１０９により原稿１０１の原稿面における読取領域に導光している。
【００１８】
光源１１０は、導光体１１１の長手方向であるＹ方向（第１の方向）の一端に配置されており、後述する入射面１１２と対向している。また、光源１１０は、発光素子とその発光素子が実装される基板とを含んでいる。発光素子としては、無機半導体及び／又は有機半導体から成る発光層を有するＬＥＤやＥＬ（Ｅｌｅｃｔｒｏ  Ｌｕｍｉｎｅｓｃｅｎｃｅ）素子などが用いられる。発光素子が発する光としては、白色光が望ましいが、それに限らず赤色、緑色、青色などの光であってもよい。白色光を発光する素子としては、パワーＬＥＤ、高輝度ＬＥＤ、高輝度ＥＬ素子などと呼ばれる白色発光素子を用いることができる。本実施形態では、発光素子として高輝度白色ＬＥＤを採用している。
【００１９】
（導光ユニット）
図３（ａ）に示すように、導光体１１１は、第１の方向において長尺な棒状の部材である。導光体１１１は、第１の方向における一端に配置される入射面１１２と、第１の方向に長い出射面１１３と、出射面１１３と対向する導光面（反射屈折面）１１５と、互いに対向し各面を接続する２つの反射側面１１４と、を有する。光源１１０から出射した光は、入射面１１２から導光体１１１の内部に入射し、導光面１１５を介して出射面１１３に導光され、出射面１１３から出射して原稿面に照射される。
【００２０】
導光体１１１の材料としては、ガラスなどの透光性の無機材料や、アクリル樹脂、ポリエステル樹脂、ポリカーボネイト樹脂などの透光性の有機材料を用いることができる。その中でも、プラスチックなどの成形が容易な合成樹脂材料を用いることが好ましく、本実施形態においてはアクリル樹脂（ＰＭＭＡ）を採用している。導光体１１１のＺＸ断面の形状は、円、楕円、多角形、或いはそれらが組み合わされた形状であってもよい。
【００２１】
ここで、導光面１１５は、出射面１１３とは反対側において第１の方向に配列された複数のプリズムを含んでいる。導光面１１５において、プリズムが形成されていない領域は、入射面１１２からの光を反射させて出射面１１３に導光する反射部であり、プリズムが形成されている領域は、入射面１１２からの光を透過させる透過部である。図３（ａ）に示すように、複数のプリズムは第１の方向において間隔を空けて配列されているため、導光面１１５における反射部及び透過部は第１の方向において交互に配置されることになる。本実施形態において、導光体１１１及び複数のプリズムは同じ材料で一体成形されており、導光面１１５における反射部は全反射面となっている。
【００２２】
本実施形態に係る複数のプリズムの高さは一定であり、各プリズムの形状は、第１の方向を含み導光面１１５（反射部）に垂直なＹＺ断面内において台形となっている。これにより、導光体１１１及び複数のプリズムを射出成形する際の離型を容易にすることができる。なお、プリズムの形状はこれに限られるものではなく、ＹＺ断面内において矩形としてもよい。ただし、ここでの矩形とは、厳密な矩形だけでなく、矩形を構成する各辺のうちの少なくとも１辺を曲線にしたものや、各頂点をなくして略円形状又は略楕円形状にしたようなもの等（略矩形）を含んでいる。
【００２３】
保持部材１１８は、導光体１１１を保持するための部材であり、導光面１１５と対向して配置されている。また、本実施形態に係る保持部材１１８は、反射率が約９０％である白色の塗装が施された板金で構成されており、導光面１１５を透過した光を拡散反射させて導光面１１５に再帰させる機能を有している。このとき、保持部材１１８に入射する光を効率的に導光するためには、保持部材１１８における導光面１１５と対向する表面の反射率を７０％以上にすることが望ましい。また、本実施形態に係る保持部材１１８は、キャリッジ１０７の筐体の一部（上蓋）を兼ねているが、これに限られず、キャリッジ１０７の筐体とは異なる部材であってもよい。
【００２４】
そして、本実施形態に係る導光ユニット１０９において、導光体１１１は固定部材１１６によって保持部材１１８に固定されている。具体的に、導光ユニット１０９は、導光面１１５に設けられた複数のプリズムが、固定部材１１６を介して保持部材１１８に密着した構成を採っている。これにより、上述した特許文献１に記載されているようなホルダを用いることなく、簡易な構成で成形時に生じる導光体１１１の反りを矯正し、かつ使用環境の変動などに起因する導光体１１１の反りの発生を抑制することが可能になる。本実施形態に係る固定部材１１６は、透明な両面テープで構成されているが、これに限らず透光性の接着剤などで構成されていてもよい。
【００２５】
本実施形態に係る保持部材１１８は、特許文献１に係るホルダとは異なり、導光面１１５に垂直な方向（Ｚ方向）において、導光面１１５に対して出射面１１３とは反対側にのみ存在している。このように、保持部材１１８は、特許文献１に係るホルダと比較して小型でありながら、導光体１１１を高精度に保持することができる。このとき、２つの反射側面１１４は、特許文献１に係るホルダのように保持部材１１８で覆われてはおらず空気に曝されているため、２つの反射側面１１４に入射する光は全反射し易い。よって、導光ユニット１０９は、簡易な構成で良好な照明効率を実現することができる。
【００２６】
また、特許文献１に係る照明装置を画像読取装置に適用する際は、導光体を保持するホルダをキャリッジの筐体に固定する必要が有るため、ホルダと筐体との位置ずれが生じる可能性がある。一方、本実施形態では、保持部材１１８をキャリッジ１０７の筐体の一部と一体的に形成することができるため、導光体１１１を保持する部材の数を減らしつつ、導光体１１１と筐体との位置ずれを抑制することが可能になる。
【００２７】
なお、第１の方向の全域にわたって各プリズムの底面と固定部材１１６とを密着させ、導光体１１１を保持部材１１８に確実に固定するためには、各プリズムの高さを一定にすることが望ましい。ただし、ここでの一定とは、厳密な一定に限らず略一定を含んでいる。すなわち、製造誤差等により各プリズムの高さが微妙に異なったとしても、第１の方向の全域にわたって各プリズムと固定部材１１６とが密着していれば、プリズムの高さは一定であるとする。
【００２８】
次に、光源１１０から出射して入射面１１２から導光体１１１の内部に入射した光の光路について、図３（ｂ）を用いて詳細に説明する。図３（ｂ）に示すように、導光面１１５に入射する光のうち、プリズム同士の間の反射部に到達する光Ａ１は、反射部と空気との界面で全反射条件を満たすため、全反射して＋Ｙ側に伝播する。また、導光面１１５に入射する光のうち、プリズムの傾斜面（側面）に到達する光Ｂ１は、傾斜面と空気との界面で全反射条件を満たすため、全反射して出射面１１３から出射する。
【００２９】
一方、プリズムの傾斜面に到達する光Ｃ１は、傾斜面と空気との界面で全反射条件を満たさないため、傾斜面で屈折しつつ導光体１１１の外部へ出射し、固定部材１１６を介して保持部材１１８に到達する。上述したように、保持部材１１８の表面には白色塗装が施されているため、光Ｃ１は保持部材１１８の表面で拡散反射し、拡散反射光Ｃ２となって再び導光面１１５から導光体１１１の内部に入射し、出射面１１３から出射する。また、プリズムの底面に到達する光Ｄ１は、固定部材１１６で屈折しつつ保持部材１１８に到達するため、光Ｃ１と同様に、拡散反射光Ｄ２となって再び導光面１１５から導光体１１１の内部に入射し、出射面１１３から出射する。
【００３０】
このように、本実施例に係る導光ユニット１０９は、導光面１１５に設けられた複数のプリズムを介して保持部材１１８に保持される構成を採ることで、導光面１１５と保持部材１１８との間に空気層を確保している。これにより、導光体１１１の反りを抑制しつつ、導光面１１５に入射する光の全反射条件を緩和し、照明効率の低下を抑制することができる。
【００３１】
さらに、導光ユニット１０９は、導光面１１５に入射する光を、複数のプリズムにより導光体１１１の外部に一旦透過させてから、保持部材１１８により再び導光体１１１に入射させる構成を採っている。これにより、出射面における入射面近傍から出射する光を十分に確保することができるため、第１の方向における導光体１１１の長さを短くしつつ、原稿面の全体を効率的に照明することが可能になる。なお、光を導光体の外部に透過させる構成を採用しない場合、導光面で反射する光は入射面から離れる方向に向かうため、出射面における入射面近傍から出射する光が減少してしまう。よって、原稿面の全体を均一に照明するためには、導光体を入射面側に延長することが必要になる。
【００３２】
以上、本実施形態に係る導光ユニット１０９は、小型かつ簡素な構成でありながら、導光体１１１の反りを抑制し、照明効率の低下を抑制することができる。
【００３３】
［実施形態２］
以下、本発明の実施形態２に係る導光ユニット、照明装置、及び画像読取装置について詳細に説明する。本実施形態に係る画像読取装置は、導光ユニット以外については実施形態１に係る画像読取装置１００の構成と同様であるため、それについての説明を省略する。
【００３４】
図４は、本実施形態に係る画像読取装置における照明装置２０３の周辺の拡大図であり、図５（ａ）は照明装置２０３の要部概略図（ＹＺ断面図）であり、図５（ｂ）は図５（ａ）におけるＢ部の拡大図である。本実施形態に係る導光ユニット２０９において、実施形態１に係る導光ユニット１０９に対して異なる点は、導光体２１１の導光面２１５におけるプリズムの形状と、固定部材２１６及び保持部材２１８の材質である。
【００３５】
具体的に、各プリズムのＹＺ断面内における形状は、高さが一定である矩形（略正方形）となっている。また、固定部材２１６は反射率が約９０％である白色の両面テープで構成され、保持部材２１８は板金で構成されている。本実施形態に係る導光ユニット２０９は、導光面２１５を透過した光を、固定部材２１６により拡散反射させて導光面２１５に再帰させる構成を採っている。よって、固定部材２１６における導光面２１５と対向する表面の反射率を７０％以上にすることが望ましい。なお、固定部材２１６は、白色の接着剤などで構成されていてもよい。
【００３６】
本実施形態のように、固定部材２１６を拡散反射部材で構成する場合、保持部材２１８における固定部材２１６に接する表面には光が到達しないため、実施形態１のように保持部材２１８に白色塗装を施す必要はない。つまり、保持部材２１８における固定部材２１６に接する表面は、どのような材料で構成されていてもよい。ただし、保持部材２１８における固定部材２１６に接していない表面については、不要光の反射を抑制するために、黒色材料などの反射率が２０％以下（より好ましくは１０％以下）の材料で構成することが好ましい。本実施形態では、保持部材２１８の表面の全体に黒色塗装を施している。
【００３７】
図５（ｂ）に示すように、導光面２１５に入射する光のうち、プリズム同士の間の反射部に到達する光Ｅ１は、反射部と空気との界面で全反射条件を満たすため、全反射して＋Ｙ側に伝播する。一方、プリズムの側面に到達する光Ｆ１は、側面と空気との界面で全反射条件を満たさないため、側面で屈折しつつ導光体２１１の外部へ出射し、固定部材２１６に到達する。そして、光Ｆ１は固定部材２１６の表面で拡散反射し、拡散反射光Ｆ２となって再び導光面２１５から導光体２１１の内部に入射し、出射面２１３から出射する。
【００３８】
［実施形態３］
以下、本発明の実施形態３に係る導光ユニット、照明装置、及び画像読取装置について詳細に説明する。本実施形態に係る画像読取装置は、照明装置以外については実施形態１に係る画像読取装置１００の構成と同様であるため、それについての説明を省略する。
【００３９】
図６は、本実施形態に係る画像読取装置における照明装置３０３の周辺の拡大図であり、図７（ａ）は照明装置３０３の要部概略図（ＹＺ断面図）であり、図７（ｂ）は図７（ａ）におけるＣ部の拡大図である。本実施形態に係る照明装置３０３において、実施形態１に係る照明装置１０３に対して異なる点は、光源３１０の配置、導光体３１１の導光面３１５におけるプリズムの形状、固定部材３１６及び保持部材３１８の材質、及び固定部材３１６の配置である。
【００４０】
具体的に、本実施形態に係る照明装置３０３は、導光体３１１の第１の方向における両端に配置される２つの光源３１０を備えている。すなわち、本実施形態に係る導光体３１１は、２つの光源３１０の夫々と対向する２つの入射面３１２を含んでいる。各プリズムのＹＺ断面内における形状は、高さが一定である矩形（略正方形）となっている。また、固定部材３１６は透明な接着剤で構成され、保持部材３１８は反射率が約９０％である白色の塗装が施された板金で構成されている。
【００４１】
本実施形態に係る導光ユニット３０９は、実施形態１に係る導光ユニット１０９と同様に、導光面３１５を透過した光を、保持部材３１８により拡散反射させて導光面３１５に再帰させる構成を採っている。よって、保持部材３１８における導光面３１５と対向する表面の反射率を７０％以上にすることが望ましい。なお、固定部材３１６は、透明な両面テープで構成されていてもよいし、実施形態２と同様に白色の両面テープや接着剤などで構成されていてもよい。
【００４２】
図７（ｂ）に示すように、導光面３１５に入射する光のうち、プリズム同士の間の反射部に到達する光Ｇ１は、反射部と空気との界面で全反射条件を満たすため、全反射して＋Ｙ側に伝播する。一方、プリズムの側面に到達する光Ｈ１は、側面と空気との界面で全反射条件を満たさないため、側面で屈折しつつ導光体３１１の外部へ出射し、保持部材３１８に到達する。そして、光Ｈ１は保持部材３１８の表面で拡散反射し、拡散反射光Ｈ２となって再び導光面３１５から導光体３１１の内部に入射し、出射面３１３から出射する。
【００４３】
［変形例］
以上、本発明の好ましい実施形態について説明したが、本発明はこれらの実施形態に限定されず、その要旨の範囲内で種々の組合せ、変形及び変更が可能である。
【００４４】
例えば、実施形態１及び３に係る保持部材や実施形態２に係る固定部材は、何れも白色材料で構成されているが、夫々の導光面に面する表面が反射面であれば、これに限られるものではない。ただし、保持部材又は固定部材に入射する光を効率的に導光するためには、保持部材又は固定部材における導光面に面する表面を、反射率が７０％以上の拡散反射面にすることが望ましい。
【００４５】
なお、実施形態１のように、導光体の導光面を透過した光を保持部材によって反射させる構成においては、製造を容易にするために、保持部材の表面の第１の方向における全域を反射面とすることが望ましい。また、実施形態２のように、導光体の導光面を透過した光を固定部材によって反射させる構成においても、製造を容易にするために、固定部材の表面の第１の方向における全域を反射面とすることが望ましい。ただし、必要に応じて、保持部材又は固定部材における、導光面を透過した光が入射する部分のみを反射面としてもよい。
【００４６】
また、導光ユニットの製造を容易にするためには、実施形態１及び２のように、固定部材を導光面の第１の方向における全域に設けることが望ましい。ただし、実施形態１及び２の構成においても、実施形態３のように、固定部材の材料を削減するために、第１の方向においてプリズムが配置されている部分にのみ固定部材を配置してもよい。このとき、実施形態２については、固定部材を介さずに保持部材に入射する光を反射させるために、保持部材の表面を反射面とすればよい。すなわち、導光面を透過した光を反射させる機能を保持部材及び固定部材で分担する構成を採ってもよく、保持部材及び固定部材の夫々の表面を部分的に反射面としてもよい。
【００４７】
上述した各実施形態に係る画像読取装置においては、読取光軸を挟んで２つの照明装置を対称的に配置しているが、この構成に限られるものではない。例えば、一方の照明装置における導光体に出射面を２つ設け、他方の照明装置の代わりに反射部材を配置した構成を採ってもよい。この場合、一方の出射面から出射した光を直接原稿面に導光し、かつ他方の出射面から出射した光を反射部材により偏向して原稿面に導光することで、読取光軸を挟んで両側から原稿面を照明することができる。
【符号の説明】
【００４８】
１０３  照明装置
１０９  導光ユニット
１１１  導光体
１１２  入射面
１１３  出射面
１１５  導光面
１１６  固定部材
１１８  保持部材
【図１】
2018088612.tif 000003
【図２】
2018088612.tif 000004
【図３】
2018088612.tif 000005
【図４】
2018088612.tif 000006
【図５】
2018088612.tif 000007
【図６】
2018088612.tif 000008
【図７】
2018088612.tif 000009